(57)【要約】      （修正有）【課題】通信部に入出力されるＲＦ信号を正確に測定することができ、通信装置に搭載された後にアンテナ部の特性が変動したり劣化したときに対策を施すことができるアンテナモジュールを提供する。【解決手段】通信部２２に入出力されるＲＦ信号を、整合回路部２３およびアンテナ部２１を経由してばらつきが生じる前にアンテナモジュール２の外部に引き出してネットワークアナライザ等の高周波（ＲＦ）用測定器により正確に測定して検査することができる。また、アンテナモジュール２が通信装置１に搭載された後にアンテナ部２１の特性が変動したり劣化したときに、外部の整合回路部３やアンテナ部４を信号引出部２４に接続することにより対策を施すことができる。【選択図】図１
2014096666.tif 000002
【特許請求の範囲】
【請求項１】
第１のアンテナ部と、
前記第１のアンテナ部との間でＲＦ信号が入出力される通信部と、
前記第１のアンテナ部と前記通信部との間に設けられた第１の整合回路部とを備えるアンテナモジュールにおいて、
前記第１の整合回路部と前記通信部とを接続する信号ラインに信号引出部が設けられた
ことを特徴とするアンテナモジュール。
【請求項２】
前記第１のアンテナ部、前記通信部、前記第１の整合回路部および信号引出部が設けられた配線基板を備え、
前記信号引出部は、前記配線基板の一方の主面に設けられたコネクタと、前記配線基板の他方の主面に設けられた実装用端子とを備えることを特徴とする請求項１に記載のアンテナモジュール。
【請求項３】
前記第１の整合回路部と前記信号引出部とを接続する信号ラインに設けられた該信号ラインを断接する導通／非導通切換部を備えることを特徴とする請求項１または２に記載のアンテナモジュール。
【請求項４】
請求項１ないし３のいずれかに記載のアンテナモジュールを備える通信装置において、
前記信号引出部に接続された第２の整合回路部を備えることを特徴とする通信装置。
【請求項５】
前記第２の整合回路部に接続された第２のアンテナ部を備えることを特徴とする請求項４に記載の通信装置。
【請求項６】
前記第２の整合回路部と前記信号引出部とを接続する信号ラインに設けられたスイッチ部と、
前記スイッチ部に接続された第３の整合回路部と、
前記第３の整合回路部に接続された第３のアンテナ部とを備え、
前記スイッチ部は、前記第２の整合回路部および前記第３の整合回路部のいずれかを前記信号引出部に切り換え接続することを特徴とする請求項５に記載の通信装置。
【請求項７】
前記アンテナモジュールは、
信号を検出する信号検出部と、
前記信号検出部に接続された信号検出用端子とを備え、
前記スイッチ部は、
前記第２の整合回路部または前記第３の整合回路部の信号を引き出す引出端子を備え、
前記信号検出用端子と前記引出端子とが接続され、前記スイッチ部は前記信号検出部による信号の検出状態に基づいて切換制御されることを特徴とする請求項６に記載の通信装置。
【発明の詳細な説明】
【技術分野】
【０００１】
本発明は、アンテナ部と通信部との間に整合回路部が設けられたアンテナモジュールおよびこのアンテナモジュールを備える通信装置に関する。
【背景技術】
【０００２】
従来、携帯電話や携帯情報端末等の携帯通信端末、無線ＬＡＮ端末、通信機能を備える血圧や体重、血糖値等の測定器などの通信装置の送信部分には、アンテナ部と通信部との間に整合回路部が設けられたアンテナモジュールが搭載されている（例えば特許文献１参照）。すなわち、図７に示すように、従来のアンテナモジュール５００は、モノポール型のアンテナを形成するアンテナエレメント５０１ａ（アンテナ素子）を備えるアンテナ部５０１と、アンテナ部５０１との間で入出力されるＲＦ信号を処理するＲＦ−ＩＣ等の各種の回路素子が設けられ、アンテナ部５０１との間でＲＦ信号が入出力される通信部５０２とを備えている。
【０００３】
また、キャパシタやインダクタ等の回路素子により形成された整合回路やアッテネータを備える整合回路部５０３が、アンテナ部５０１と通信部５０２との間に設けられている。また、アンテナモジュール５００は、例えば、ＩＥＥＥ８０２．１５．１として規格されている２．４ＧＨｚ帯域のＢｌｕｅｔｏｏｔｈ（登録商標）による無線通信を行う通信装置や、ＩＥＥＥ８０２．１１として規格されている無線ＬＡＮによる無線通信を行う通信装置に搭載される。なお、図７は従来のアンテナモジュールを示す平面図である。
【先行技術文献】
【特許文献】
【０００４】
【特許文献１】特開２０１１−４１０９７号公報（段落００４５〜００５３、図６，７など）
【発明の概要】
【発明が解決しようとする課題】
【０００５】
ところで、上記したアンテナモジュール５００において、通信部５０２から出力されるＲＦ信号の特性を検査するときは、通信部５０２から出力されたＲＦ信号が整合回路部５０３およびアンテナ部５０１を経由した後の空中線電力信号を観測することにより検査される。ところが、空中線電力信号は、アンテナモジュール５００のアンテナエレメント５０１ａ形成時の寸法公差、および周辺環境等の環境要因によるばらつきが大きい。したがって、通信部５０２から出力されるＲＦ信号の特性を、整合回路部５０３およびアンテナ部５０１を経由した後の空中線電力信号を観測することにより正確に検査するのは困難であるという問題があった。
【０００６】
また、アンテナモジュール５００が備えるアンテナ部５０１の特性は、特にアンテナ部５０１が備えるアンテナエレメント５０１ａがモノポール型のアンテナを形成する場合に、アンテナモジュール５００が通信装置に搭載されたときの接地状態等の外部環境に大きく影響される。したがって、一般的に、アンテナモジュール５００は、当該アンテナモジュール５００が通信装置に搭載されたときにアンテナ部５０１が所定の特性を備えるように設計される。すなわち、アンテナモジュール５００は、当該アンテナモジュール５００が使用される外部環境に応じて設計される。ところが、アンテナモジュール５００の設計時には、当該アンテナモジュール５００がどのような通信装置に搭載されて、どのような外部環境で使用されるのかが不明な場合がある。この場合、アンテナモジュール５００が通信装置に搭載されたときに、アンテナ部５０１の特性が変動したり劣化しても、整合回路部５０３では所定の特性を満足するように配置された回路素子が、既に最小限の面積で完成している為、搭載後に素子を追加、ないし変更する対策を施すことができないという問題があった。
【０００７】
この発明は、上記した課題に鑑みてなされたものであり、通信部に入出力されるＲＦ信号を正確に測定することができ、且つ通信装置に搭載された後にアンテナ部の特性が変動したり劣化したときに対策を施すことができるアンテナモジュールを提供すると共に、このアンテナモジュールを備える通信装置を提供することを目的とする。
【課題を解決するための手段】
【０００８】
上記した目的を達成するために、本発明のアンテナモジュールは、第１のアンテナ部と、前記第１のアンテナ部との間でＲＦ信号が入出力される通信部と、前記第１のアンテナ部と前記通信部との間に設けられた第１の整合回路部とを備えるアンテナモジュールにおいて、前記第１の整合回路部と前記通信部とを接続する信号ラインに信号引出部が設けられたことを特徴としている。
【０００９】
このように構成された発明では、第１の整合回路部と通信部とを接続する信号ラインに信号引出部が設けられているので、通信部に入出力されるＲＦ信号を、整合回路部およびアンテナ部を経由してばらつきが生じる前にアンテナモジュール外部に引き出してネットワークアナライザ等の高周波（ＲＦ）用測定器により正確に測定して検査することができる。
【００１０】
また、アンテナモジュールが通信装置に搭載された後にアンテナ部の特性が変動したときには、例えば、信号引出部に外部の整合回路を接続してアンテナ部と通信部との間のインピーダンス変換量を調整することにより対策を施すことができる。また、アンテナモジュールが通信装置に搭載された後にアンテナ部の特性が劣化したときには、例えば、信号引出部に外部のアンテナ素子を接続して当該アンテナ素子と通信部との間でＲＦ信号の入出力を行わせることにより対策を施すことができる。
【００１１】
また、アンテナモジュールが通信装置に搭載された後にアンテナ部の特性が変動したり劣化したときに、外部の整合回路やアンテナ素子を信号引出部に接続することにより対策を施すことができるので、通信装置に搭載後にアンテナモジュールの回路特性を調整するための回路素子を配置するためのスペースをアンテナモジュール上に確保する必要がない。したがって、回路特性を調整するための回路素子を配置するためのスペースを省略することにより、アンテナモジュールの小型化を図ることができる。
【００１２】
また、前記第１のアンテナ部、前記通信部、前記第１の整合回路部および信号引出部が設けられた配線基板を備え、前記信号引出部は、前記配線基板の一方の主面に設けられたコネクタと、前記配線基板の他方の主面に設けられた実装用端子とを備えるとよい。
【００１３】
このように構成すると、例えば、アンテナモジュールが通信装置にコネクタ接続される場合には、配線基板の一方の主面に設けられたコネクタからＲＦ信号を引き出すことができる。また、例えば、アンテナモジュールが通信装置にはんだ等を用いて表面実装される場合には、配線基板の他方の主面に設けられた実装用端子からＲＦ信号を引き出すことができる。したがって、アンテナモジュールの通信装置への搭載態様に応じて、コネクタおよび実装用端子のいずれか一方から、もしくは、両方からＲＦ信号を引き出すことができるので、アンテナモジュールを通信装置へ複数の方法により搭載することができ、アンテナモジュールの汎用性を高めることができる。
【００１４】
また、前記第１の整合回路部と前記信号引出部とを接続する信号ラインに設けられた該信号ラインを断接する導通／非導通切換部を備えるとよい。
【００１５】
このように構成すると、必要に応じて、導通／非導通切換部により信号引出部と第１の整合回路部とを接続する信号ラインを切断することで、信号引出部に接続される外部回路のみを用いてアンテナモジュールの通信部との間でＲＦ信号の入出力を行う回路を構成することができるので、アンテナモジュールの汎用性を向上することができる。
【００１６】
また、アンテナモジュールを備える本発明の通信装置は、前記信号引出部に接続された第２の整合回路部を備えることを特徴としている。
【００１７】
このように構成された発明では、信号引出部に接続された第２の整合回路部により、アンテナモジュールの第１のアンテナ部と通信部とが高精度に整合された通信装置を提供することができる。
【００１８】
また、前記第２の整合回路部に接続された第２のアンテナ部を備えていてもよい。
【００１９】
このように構成すれば、アンテナモジュールの通信部は、第１のアンテナ部を経由したＲＦ信号を入力することができ、第２のアンテナ部を経由したＲＦ信号を信号引出部を介して入力することができるので、第１のアンテナ部および第２のアンテナ部を利用したダイバーシティを実行することができる通信装置を提供することができる。また、ダイバーシティを実行するための第２のアンテナ部をアンテナモジュールではなく、回路素子の配置スペースを確保し易い通信装置側に設けることができるので、通信装置の設計の自由度を高めることができる。
【００２０】
また、前記第２の整合回路部と前記信号引出部とを接続する信号ラインに設けられたスイッチ部と、前記スイッチ部に接続された第３の整合回路部と、前記第３の整合回路部に接続された第３のアンテナ部とを備え、前記スイッチ部は、前記第２の整合回路部および前記第３の整合回路部のいずれかを前記信号引出部に切り換え接続するようにしてもよい。
【００２１】
このように構成すると、アンテナモジュールの外部に配置された、第２のアンテナ部および第３のアンテナ部のいずれかをスイッチ部によりアンテナモジュールの信号引出部に切り換え接続することができる。
【００２２】
また、前記アンテナモジュールは、信号を検出する信号検出部と、前記信号検出部に接続された信号検出用端子とを備え、前記スイッチ部は、前記第２の整合回路部または前記第３の整合回路部の信号を引き出す引出端子を備え、前記信号検出用端子と前記引出端子とが接続され、前記スイッチ部は前記信号検出部による信号の検出状態に基づいて切換制御されるようにするとよい。
【００２３】
このように構成すると、第２の整合回路部および第３の整合回路部の信号が引出端子から引き出されアンテナモジュールの信号検出用端子から信号検出部に入力されて、スイッチ部が、信号検出部による信号の検出状態に基づいて切換制御されることにより、第２の整合回路部および第３の整合回路部のうち、より適正に信号が処理されている一方を信号引出部に接続してアンテナモジュールの通信部に接続することができる。
【発明の効果】
【００２４】
本発明によれば、通信部に入出力されるＲＦ信号を信号引出部からアンテナモジュール外部に引き出してネットワークアナライザ等の高周波（ＲＦ）用測定器により正確に測定して検査することができる。また、アンテナモジュールが通信装置に搭載された後にアンテナ部の特性が変動したり劣化したときに、外部の整合回路やアンテナ素子を信号引出部に接続することにより対策を施すことができる。
【図面の簡単な説明】
【００２５】
【図１】本発明にかかる通信装置の第１実施形態を示すブロック図である。
【図２】図１の通信装置に搭載されたアンテナモジュールを示す平面図である。
【図３】図２のアンテナモジュールの側断面図である。
【図４】図２のアンテナモジュールの検査方法の一例を示す図である。
【図５】本発明にかかる通信装置の第２実施形態を示すブロック図である。
【図６】本発明の通信装置の第３実施形態を示すブロック図である。
【図７】従来のアンテナモジュールを示す平面図である。
【発明を実施するための形態】
【００２６】
＜第１実施形態＞
本発明にかかる通信装置の第１実施形態について、図１〜図３を参照して説明する。図１は本発明にかかる通信装置の第１実施形態を示すブロック図、図２は図１の通信装置に搭載されたアンテナモジュールを示す平面図、図３は図２のアンテナモジュールの側断面図である。
【００２７】
図１に示す通信装置１は、携帯電話や携帯情報端末等の携帯通信端末、無線ＬＡＮ端末、通信機能を備える血圧や体重、血糖値等の測定器などを構成するものであり、アンテナモジュール２と、整合回路部３と、アンテナ部４とを備えている。
【００２８】
アンテナモジュール２は、セラミック基板やガラスエポキシ樹脂基板、ポリイミド樹脂によるフレキシブル基板などにより形成された配線基板Ｓを備え、アンテナ部２１と、アンテナ部２１との間でＲＦ信号が入出力される通信部２２と、アンテナ部２１と通信部２２との間に設けられた整合回路部２３とが配線基板Ｓに設けられている。また、アンテナ部２１、通信部２２および整合回路部２３を接続する信号ラインＬが配線基板Ｓに設けられ、アンテナモジュール２の整合回路部２３と通信部２２とを接続する信号ラインＬに信号引出部２４が設けられている。
【００２９】
アンテナ部２１（本発明の「第１のアンテナ部」に相当）は、配線基板Ｓの一方の主面Ｓ１に設けられ、通信装置１の使用目的に応じてモノポール型やダイポール型に形成されたアンテナ素子（図示省略）を備えている。通信部２２は、アンテナ部２１との間で入出力されるＲＦ信号を処理するＲＦ−ＩＣ２２ａを備え、ＲＦ−ＩＣ２２ａは、配線基板Ｓの一方の主面Ｓ１に表面実装されている。
【００３０】
整合回路部２３（本発明の「第１の整合回路部」に相当）は、インダクタやキャパシタなどの回路素子２３ａが配線基板Ｓの一方の主面Ｓ１に設けられることにより形成された整合回路を備えている。信号引出部２４は、配線基板Ｓの一方の主面Ｓ１に設けられ、整合回路部２３と通信部２２とを接続する信号ラインＬに設けられたＲＦ用のコネクタ２４ａと、配線基板Ｓの他方の主面Ｓ２に設けられた実装用端子２４ｂとを備えている。また、コネクタ２４ａおよび実装用端子２４ｂは導体ビア２４ｃにより接続されている。
【００３１】
なお、この実施形態では、信号引出部２４は、コネクタ２４ａおよび実装用端子２４ｂを備える構成としたが、アンテナモジュール２の使用目的に応じて、コネクタ２４ａおよび実装用端子２４ｂのいずれか一方のみを配線基板Ｓに設けることにより信号引出部２４を構成してもよい。また、この実施形態では、アンテナモジュール２を通信装置１が備えるマザー基板に表面実装することができるように、配線基板Ｓの他方の主面Ｓ２にＬＧＡ（Ｌａｎｄ  Ｇｒｉｄ  Ａｒｒａｙ）が形成されており、実装用端子２４ｂは、ＬＧＡが備える１つの電極により構成されている。
【００３２】
以上のように構成されたアンテナモジュール２では、整合回路部２３と通信部２２とを接続する信号ラインＬに信号引出部２４が設けられている。したがって、図４のアンテナモジュール２の検査方法の一例を示すように、アンテナモジュール２が通信装置１に搭載された状態で、通信部２２に入出力されるＲＦ信号を、整合回路部２３およびアンテナ部２１を経由してばらつきが生じる前にアンテナモジュール２の外部に引き出してネットワークアナライザ等の高周波（ＲＦ）用測定器１０により正確に測定して検査することができる。
【００３３】
そのため、アンテナモジュール２が通信装置１に搭載された後にアンテナ部２１の特性が変動したときには、例えば、信号引出部２４に外部の整合回路部３を接続してアンテナ部２１と通信部２２との間のインピーダンス変換量を調整することにより対策を施すことができる。また、アンテナモジュール２が通信装置１に搭載された後にアンテナ部２１の特性が劣化したときには、例えば、信号引出部２４に外部のアンテナ部４（アンテナ素子４ａ）を接続して当該アンテナ部４と通信部２２との間でＲＦ信号の入出力を行わせることにより対策を施すことができる。
【００３４】
また、アンテナモジュール２が通信装置１に搭載された後にアンテナ部２１の特性が変動したり劣化したときに、外部の整合回路部３やアンテナ部４を信号引出部２４に接続することにより対策を施すことができるので、通信装置１に搭載された後にアンテナモジュール２の回路特性を調整するための回路素子等を配置するためのスペースをアンテナモジュール２上に確保する必要がない。したがって、回路特性を調整するための回路素子を配置するためのスペースを省略することにより、アンテナモジュール２の小型化を図ることができる。
【００３５】
また、信号引出部２４が、配線基板Ｓの一方の主面Ｓ１に設けられたコネクタ２４ａと、配線基板Ｓの他方の主面Ｓ２に設けられた実装用端子２４ｂとを備えることにより、例えば、アンテナモジュール２が通信装置１にコネクタ接続される場合には、配線基板Ｓの一方の主面Ｓ１に設けられたコネクタ２４ａからＲＦ信号を引き出すことができる。また、例えば、アンテナモジュール２が通信装置１にはんだ等を用いて表面実装される場合には、配線基板Ｓの他方の主面Ｓ２に設けられた実装用端子２４ｂからＲＦ信号を引き出すことができる。したがって、アンテナモジュール２の通信装置１への搭載態様に応じて、コネクタ２４ａおよび実装用端子２４ｂのいずれか一方から、もしくは、両方からＲＦ信号を引き出すことができるので、アンテナモジュール２を通信装置１へ複数の方法により搭載することができ、アンテナモジュール２の汎用性を高めることができる。
【００３６】
また、アンテナモジュール２が通信装置１に搭載されていない状態で、通信部２２に入出力されるＲＦ信号を、整合回路部２３およびアンテナ部２１を経由してばらつきが生じる前にアンテナモジュール２の外部に引き出してＲＦ用測定器１０により正確に測定して検査することもできる。
【００３７】
整合回路部３（本発明の「第２の整合回路部」に相当）は、例えば、インダクタＬおよびキャパシタＣによりローパス型に形成された整合回路を備え、アンテナモジュール２の信号引出部２４に接続されている。なお、アンテナモジュール２の通信装置１への搭載態様に応じて、整合回路部３は、信号引出部２４のコネクタ２４ａおよび実装用端子２４ｂのいずれに接続されていてもよい。
【００３８】
アンテナ部４（本発明の「第２のアンテナ部」に相当）は、この実施形態では、アンテナモジュール２に搭載されたアンテナ部２１が備えるアンテナ素子とほぼ同一の構成および特性を有するアンテナ素子４ａを備え、整合回路部３に接続されている。
【００３９】
以上のように、上記した実施形態では、信号引出部２４に接続された整合回路部３により、アンテナモジュール２のアンテナ部２１と通信部２２とが高精度に整合された通信装置１を提供することができる。
【００４０】
また、整合回路部３にアンテナ部４が接続されているので、アンテナモジュール２の通信部２２は、アンテナ部２１を経由したＲＦ信号を入力することができると共に、アンテナ部４を経由したＲＦ信号を信号引出部２４を介して入力することができる。したがって、アンテナ部２１およびアンテナ部４を利用したダイバーシティを実行することができる通信装置１を提供することができる。また、ダイバーシティを実行するためのアンテナ部４をアンテナモジュール２ではなく、回路素子等の配置スペースを確保し易い通信装置１側に設けることができるので、通信装置１の設計の自由度を高めることができる。
【００４１】
なお、アンテナ部４が不要であれば、整合回路部３のみが信号引出部２４に接続される構成でもよい。
【００４２】
＜第２実施形態＞
本発明の通信装置の第２実施形態について、図５を参照して説明する。図５は本発明にかかる通信装置の第２実施形態を示すブロック図である。この実施形態が上記した第１実施形態と異なるのは、図５に示すように、アンテナモジュール２が、整合回路部２５と信号引出部２４とを接続する信号ラインＬに設けられた該信号ラインＬを断接する導通／非導通切換部２５を備える点である。この実施形態では、導通／非導通切換部２５はジャンパチップ（図示省略）を備え、ジャンパチップを着脱することにより、整合回路部２３と信号引出部２４とを接続する信号ラインＬの断接状態を切り換えることができる。その他の構成は上記した第１実施形態と同様であるため、上記した第１実施形態と同様の構成については同一符号を付すことによりその構成の説明を省略する。
【００４３】
以上のように、この実施形態においても上記した第１実施形態と同様の効果を奏することができると共に、以下の効果を奏することができる。すなわち、必要に応じて、導通／非導通切換部２５により信号引出部２４と整合回路部２３とを接続する信号ラインＬを切断することで、アンテナモジュール２に搭載されたアンテナ部２１および整合回路部２３を使用せずに、信号引出部２４に接続された外部回路（整合回路部３、アンテナ部４）のみを用いてアンテナモジュール２の通信部２２との間でＲＦ信号の入出力を行う回路を構成することができるので、アンテナモジュール２の汎用性を向上することができる。
【００４４】
なお、信号ラインＬに設けられた各種のスイッチを用いて整合回路部２３と信号引出部２４とを接続する信号ラインＬの断接状態を切り換えるように導通／非導通切換部２５を構成すればよい。
【００４５】
＜第３実施形態＞
本発明の通信装置の第３実施形態について、図６を参照して説明する。図６は本発明の通信装置の第３実施形態を示すブロック図である。この実施形態が上記した第１実施形態と異なるのは、図６に示すように、整合回路部３と信号引出部２４とを接続する信号ラインにスイッチ部５が設けられ、スイッチ部５には整合回路部６（本発明の「第３の整合回路部」に相当）が接続され、整合回路部６にはアンテナ素子７ａを備えるアンテナ部７（本発明の「第３のアンテナ部」に相当）が接続されている。そして、整合回路部３（アンテナ部４）および整合回路部６（アンテナ部７）のいずれかがスイッチ部５により信号引出部２４に切り換え接続される。
【００４６】
また、図６に示すように、アンテナモジュール２は、ＲＦ信号を検出する信号検出部２６と、信号検出部２６に接続された信号検出用端子２７とを備え、スイッチ部５は、整合回路部３および整合回路部６のＲＦ信号を引き出すカプラ５１（本発明の「引出端子」に相当）を備えている。また、信号検出用端子２７とカプラ５１とが整流素子Ｄを介して接続され、スイッチ部５は、同図中の矢印に示すように、信号検出部２６によるＲＦ信号の検出状態に基づいて信号検出用端子２７からスイッチ部５に制御信号が出力されることにより切換制御される。その他の構成は上記した第１実施形態と同様であるため、上記した第１実施形態と同様の構成については同一符号を付すことによりその構成の説明を省略する。
【００４７】
以上のように、この実施形態においても上記した第１実施形態と同様の効果を奏することができると共に、以下の効果を奏することができる。すなわち、アンテナモジュール２の外部に配置された、アンテナ部４（整合回路部３）およびアンテナ部７（整合回路部６）のいずれかをスイッチ部５によりアンテナモジュール２の信号引出部２４に切り換え接続することができる。
【００４８】
また、アンテナ部４（整合回路部３）およびアンテナ部７（整合回路部６）のＲＦ信号がカプラ５１により引き出されアンテナモジュール２の信号検出用端子２７から信号検出部２６に入力される。そして、スイッチ部５が、信号検出部２６によるＲＦ信号の検出状態に基づいて切換制御されることにより、アンテナ部４（整合回路部３）およびアンテナ部７（整合回路部６）のうち、より適正に信号が処理されている一方を信号引出部２４に接続してアンテナモジュール２の通信部２２に接続することができる。
【００４９】
また、カプラ５１により、アンテナ部４（整合回路部３）およびアンテナ部７（整合回路部６）のＲＦ信号のうちいずれか一方が引き出されるようにしてもよい。
【００５０】
なお、本発明は上記した実施形態に限定されるものではなく、その趣旨を逸脱しない限りにおいて、上記したものをどのように組み合わせてもよく、上記したもの以外に種々の変更を行なうことが可能であり、例えば、各アンテナ部が備えるアンテナ素子の構成は、通信装置１において通信に使用される周波数帯域や通信方式に応じて、適宜、最適な形状および大きさに構成すればよい。また、各整合回路部が備える整合回路も、アンテナ部および通信部の構成に応じて適宜最適な構成とすればよい。
【００５１】
また、上記した実施形態では、スイッチ部５によりアンテナ部４およびアンテナ部７のいずれかが信号引出部２４に切換接続される構成としたが、さらに通信装置１に設けられた３個以上のアンテナ部のいずれかが信号引出部２４に切り換え接続される構成でもよい。また、通信部２２の構成は上記した例に限定されるものではなく、アンテナモジュール２の使用目的に応じて、適宜、最適な電子部品を選択して配線基板Ｓに実装して通信部２２を構成すればよい。例えば、通信部２２に、段間フィルタ（ＳＡＷフィルタ）やスイッチ、ダイプレクサなどのマルチプレクサ、カプラなどがさらに搭載されていてもよい。
【００５２】
そして、アンテナ部と通信部との間に整合回路部が設けられたアンテナモジュールおよびこのアンテナモジュールを備える通信装置に本発明を広く適用することができる。
【符号の説明】
【００５３】
１    通信装置
２    アンテナモジュール
２１    アンテナ部（第１のアンテナ部）
２２    通信部
２３    整合回路部（第１の整合回路部）
２４    信号引出部
２４ａ    コネクタ
２４ｂ    実装用端子
２５    導通／非導通切換部
２６    信号検出部
２７    信号検出用端子
３    整合回路部（第２の整合回路部）
４    アンテナ部（第２のアンテナ部）
５    スイッチ部
５１    カプラ（引出端子）
６    整合回路部（第３の整合回路部）
７    アンテナ部（第３のアンテナ部）
Ｌ    信号ライン
Ｓ    配線基板
Ｓ１    一方の主面
Ｓ２    他方の主面
【図１】
2014096666.tif 000003
【図２】
2014096666.tif 000004
【図３】
2014096666.tif 000005
【図４】
2014096666.tif 000006
【図５】
2014096666.tif 000007
【図６】
2014096666.tif 000008
【図７】
2014096666.tif 000009